(57)【要約】【課題】外光が変化した場合でも、利用者に不快感又は違和感を与えることを防止することができる照明装置を提供する。【解決手段】マイクロコンピュータ１０は、光源部１６を消灯した時点からの消灯時間を計時する。そして、マイクロコンピュータ１０は、計時した消灯時間が所定の消灯時間閾値Ｔｆを超えた場合に、照度センサ１３で検出した照度が所定の点灯照度閾値Ｌｎ以下であるとき、光源部１６を点灯する。例えば、検出部で検出した照度が点灯照度閾値以下であっても、消灯時点からの消灯時間が消灯時間閾値を超えていないときは、光源を点灯しない。また、消灯時間が消灯時間閾値を超えた場合に、検出部で検出した照度が点灯照度閾値以下のときは、光源を点灯する。【選択図】図１
2013247081.tif 000002
【特許請求の範囲】
【請求項１】
光源と、照射面の照度を検出する検出部と、該検出部が検出した照度に基づいて前記光源の点灯及び消灯を制御する制御部とを備える照明装置において、
前記制御部が前記光源を消灯した時点からの経過時間である消灯時間を計時する計時部を備え、
前記制御部は、
前記計時部で計時した消灯時間が所定の消灯時間閾値を超えた場合に、前記検出部で検出した照度が所定の点灯照度閾値以下であるとき、前記光源を点灯するようにしてあり、
前記検出部で複数回検出した照度に基づいて算出した照度の統計値の大小に応じて、前記消灯時間閾値を長短とすべく調整するようにしてあることを特徴とする照明装置。
【請求項２】
前記制御部は、
前記照度の統計値の大小に応じて、前記点灯照度閾値を小大とすべく調整するようにしてあることを特徴とする請求項１に記載の照明装置。
【請求項３】
月、日付又は時刻の少なくとも１つを特定する特定部を備え、
前記制御部は、
前記特定部で特定した月、日付又は時刻に応じて、前記消灯時間閾値を調整するようにしてあることを特徴とする請求項１又は請求項２に記載の照明装置。
【請求項４】
光源と、照射面の照度を検出する検出部と、該検出部が検出した照度に基づいて前記光源の点灯及び消灯を制御する制御部とを備える照明装置において、
前記制御部が前記光源を点灯した時点からの経過時間である点灯時間を計時する計時部を備え、
前記制御部は、
前記計時部で計時した点灯時間が所定の点灯時間閾値を超えた場合に、前記検出部で検出した照度が所定の消灯照度閾値以上であるとき、前記光源を消灯するようにしてあり、
前記検出部で複数回検出した照度に基づいて算出した照度の統計値の大小に応じて、前記点灯時間閾値を短長とすべく調整するようにしてあることを特徴とする照明装置。
【請求項５】
前記制御部は、
前記照度の統計値の大小に応じて、前記消灯照度閾値を小大とすべく調整するようにしてあることを特徴とする請求項４に記載の照明装置。
【請求項６】
月、日付又は時刻の少なくとも１つを特定する特定部を備え、
前記制御部は、
前記特定部で特定した月、日付又は時刻に応じて、前記点灯時間閾値を調整するようにしてあることを特徴とする請求項４又は請求項５に記載の照明装置。
【発明の詳細な説明】
【技術分野】
【０００１】
本発明は、光源の光を含む光による照度を検出する検出部を備える照明装置に関する。
【背景技術】
【０００２】
従来、光源の光が照射される床面又は机面などの所定の箇所の照度を照度センサで検出して、検出した照度が所望の値になるように光源の明るさを調整することができる照明装置が製品化されている。このような照明装置を外光が窓から入るような室内に設置した場合に、照明装置の光源を消灯させても、窓から十分な外光が入るときには、所定の箇所の照度が所望の値になる場合がある。
【０００３】
例えば、床面の目標照度値及び調光度の下限で点灯した場合の照明装置のみによる床面照度値を予め設定しておき、照明装置を調光度の下限で動作させている際に、その時点の外光を含む照度値から目標照度値を減じた値が、調光度の下限で点灯した時の照明装置のみによる床面照度値以上である場合、すなわち外光のみによる照度値が目標照度値以上である場合に、光源を消灯することにより、省電力を図ることができる照明装置が開示されている（特許文献１参照）。
【先行技術文献】
【特許文献】
【０００４】
【特許文献１】特開２００２−２６０８８０号公報
【発明の概要】
【発明が解決しようとする課題】
【０００５】
しかしながら、特許文献１の照明装置にあっては、照度値が目標照度値以上となれば、消灯し、逆に照度値が目標照度値未満となれば点灯する。このため、外光が急激に変化する場合、例えば、太陽が雲間で見え隠れを繰り返すような場合には、照明装置が頻繁に点灯と消灯を繰り返す事態となり、利用者に不快感又は違和感を与えるという問題がある。
【０００６】
本発明は斯かる事情に鑑みてなされたものであり、外光が変化した場合でも、利用者に不快感又は違和感を与えることを防止することができる照明装置を提供することを目的とする。
【課題を解決するための手段】
【０００７】
本発明に係る照明装置は、光源と、照射面の照度を検出する検出部と、該検出部が検出した照度に基づいて前記光源の点灯及び消灯を制御する制御部とを備える照明装置において、前記制御部が前記光源を消灯した時点からの経過時間である消灯時間を計時する計時部を備え、前記制御部は、前記計時部で計時した消灯時間が所定の消灯時間閾値を超えた場合に、前記検出部で検出した照度が所定の点灯照度閾値以下であるとき、前記光源を点灯するようにしてあり、前記検出部で複数回検出した照度に基づいて算出した照度の統計値の大小に応じて、前記消灯時間閾値を長短とすべく調整するようにしてあることを特徴とする。
【０００８】
本発明にあっては、計時部は、制御部が光源を消灯した時点からの経過時間である消灯時間を計時する。制御部は、計時部で計時した消灯時間が所定の消灯時間閾値を超えた場合に、検出部で検出した照度が所定の点灯照度閾値以下であるとき、光源を点灯する。消灯時間閾値Ｔｆは、例えば、６０秒〜１２０秒程度とすることができるが、これに限定されるものではない。また、点灯照度閾値Ｌｎは、光源を点灯するか否かを判定するための照度閾値であり、例えば、２７００ｌｘ〜３０００ｌｘ程度とすることができるが、これに限定されるものではない。
【０００９】
例えば、消灯時間閾値Ｔｆを６０秒とし、検出部で照度を検出した結果、光源を消灯した場合に、消灯時点からの消灯時間が３０秒のときに、検出部で検出した照度が点灯照度閾値以下であっても、消灯時間が消灯時間閾値Ｔｆを超えていないので、光源を点灯しない。また、消灯時間が消灯時間閾値Ｔｆを超えた場合に、検出部で検出した照度が点灯照度閾値以下のときは、光源を点灯する。これにより、外光が変化して、検出部で検出した照度が点灯照度閾値以下になった場合でも、直ちに光源を点灯（再点灯）せず、消灯時間が消灯時間閾値Ｔｆを超えた場合に、検出部で検出した照度が点灯照度閾値以下であれば光源を点灯するので、外光が変化した場合に、光源の点灯と消灯が短い時間の間に繰り返されることを防止することができ、利用者に不快感又は違和感を与えることを防止することができる。
【００１０】
また、制御部は、検出部で複数回検出した照度に基づいて算出した照度の統計値の大小に応じて、消灯時間閾値を長短とすべく調整する。統計値は、例えば、平均値、中央値、最頻値などとすることができる。すなわち、制御部は、照度の統計値が大きい（高い）場合には、消灯時間閾値Ｔｆを長くし（例えば、１２０秒など）、照度の統計値が小さい（低い）場合には、消灯時間閾値Ｔｆを短くする（例えば、６０秒など）。照度の統計値が大きい（高い）場合とは、例えば、昼間、夏場などであり、照度の統計値が小さい（低い）場合とは、夕方又は夜間、冬場などである。
【００１１】
すなわち、照度の統計値が大きい（高い）、昼間の時間帯、あるいは夏場では、消灯時間閾値Ｔｆを長くするので、例えば、外光の明暗が頻繁に変化するような場合でも、光源の点灯と消灯を繰り返す事態を抑制することができ、利用者に不快感又は違和感を与えることを防止することができる。また、照度の統計値が小さい（低い）、夕方又は夜間の時間帯、あるいは冬場では、短い時間であっても消灯時間閾値Ｔｆを設けることにより、光源の点灯と消灯を繰り返す事態を抑制することができ、利用者に不快感又は違和感を与えることを防止することができる。また、消灯時間閾値Ｔｆを比較的短くすることにより、光源の再点灯までの時間を短くして早く光源を点灯させることができるので、照明装置の周囲が暗くなり過ぎて利用者に不快感を与えることを防止することができる。
【００１２】
本発明に係る照明装置は、前記制御部は、前記照度の統計値の大小に応じて、前記点灯照度閾値を小大とすべく調整するようにしてあることを特徴とする。
【００１３】
本発明にあっては、制御部は、検出部で複数回検出した照度に基づいて算出した照度の統計値の大小に応じて、点灯照度閾値を小大とすべく調整する。すなわち、制御部は、照度の統計値が大きい（高い）場合には、点灯照度閾値Ｌｎを小さく（低く）する（例えば、２７００ｌｘなど）。また、制御部は、照度の統計値が小さい（低い）場合には、点灯照度閾値Ｌｎを大きく（高く）する（例えば、３０００ｌｘなど）。照度の統計値が大きい（高い）場合とは、例えば、昼間、夏場などであり、照度の統計値が小さい（低い）場合とは、夕方又は夜間、冬場などである。
【００１４】
すなわち、照度の統計値が大きい（高い）、昼間の時間帯、あるいは夏場では、点灯照度閾値Ｌｎを小さく（低く）することにより、検出部で検出する照度が比較的低くなるまで光源を点灯しない。これにより、比較的長く光源を消灯させたままにすることができ、電力消費を低減することができる。
【００１５】
また、照度の統計値が小さい（低い）、夕方又は夜間の時間帯、あるいは冬場では、点灯照度閾値Ｌｎを大きく（高く）することにより、検出部で検出する照度が比較的高くても光源を点灯させることができるので、比較的早く光源を点灯することができ、照明装置の周囲が暗くなり過ぎて利用者に不快感を与えることを防止することができる。
【００１６】
本発明に係る照明装置は、月、日付又は時刻の少なくとも１つを特定する特定部を備え、前記制御部は、前記特定部で特定した月、日付又は時刻に応じて、前記消灯時間閾値を調整するようにしてあることを特徴とする。
【００１７】
本発明にあっては、特定部は、月、日付又は時刻の少なくとも１つを特定する。特定部は、例えば、カレンダー機能又は時計を備え、月、日付、あるいは時刻の少なくとも一つを特定する。制御部は、特定部で特定した月、日付又は時刻に応じて、消灯時間閾値を調整する。例えば、月日を特定する場合、制御部は、夏場又は冬場に応じて、消灯時間閾値を調整する。また、時刻を特定する場合、制御部は、昼間又は夜間に応じて、消灯時間閾値を調整する。これにより、外光の明暗に応じて、消灯時間閾値を調整することができる。
【００１８】
本発明に係る照明装置は、光源と、照射面の照度を検出する検出部と、該検出部が検出した照度に基づいて前記光源の点灯及び消灯を制御する制御部とを備える照明装置において、前記制御部が前記光源を点灯した時点からの経過時間である点灯時間を計時する計時部を備え、前記制御部は、前記計時部で計時した点灯時間が所定の点灯時間閾値を超えた場合に、前記検出部で検出した照度が所定の消灯照度閾値以上であるとき、前記光源を消灯するようにしてあり、前記検出部で複数回検出した照度に基づいて算出した照度の統計値の大小に応じて、前記点灯時間閾値を短長とすべく調整するようにしてあることを特徴とする。
【００１９】
本発明にあっては、計時部は、光源を点灯した時点からの経過時間である点灯時間を計時する。制御部は、計時部で計時した点灯時間が所定の点灯時間閾値を超えた場合に、検出部で検出した照度が所定の消灯照度閾値以上であるとき、光源を消灯する。点灯時間閾値Ｔｎは、例えば、６０秒〜１２０秒程度とすることができるが、これに限定されるものではない。また、消灯照度閾値Ｌｆは、光源を消灯するか否かを判定するための照度閾値であり、例えば、３２００ｌｘ〜３５００ｌｘ程度とすることができるが、これに限定されるものではない。
【００２０】
例えば、点灯時間閾値Ｔｎを６０秒とし、検出部で照度を検出した結果、光源を点灯した場合に、点灯時点からの点灯時間が３０秒のときに、検出部で検出した照度が消灯照度閾値以上であっても、点灯時間が点灯時間閾値Ｔｎを超えていないので、光源を消灯しない。また、点灯時間が点灯時間閾値Ｔｎを超えた場合に、検出部で検出した照度が消灯照度閾値以上のときは、光源を消灯する。これにより、外光が変化して、検出部で検出した照度が消灯照度閾値以上になった場合でも、直ちに光源を消灯（再消灯）せず、点灯時間が点灯時間閾値Ｔｎを超えた場合に、検出部で検出した照度が消灯照度閾値以上であれば光源を消灯するので、外光が変化した場合に、光源の点灯と消灯が短い時間の間に繰り返されることを防止することができ、利用者に不快感又は違和感を与えることを防止することができる。
【００２１】
また、制御部は、検出部で複数回検出した照度に基づいて算出した照度の統計値の大小に応じて、点灯時間閾値を短長とすべく調整する。すなわち、制御部は、照度の統計値が大きい（高い）場合には、点灯時間閾値Ｔｎを短くし（例えば、６０秒など）、照度の統計値が小さい（低い）場合には、点灯時間閾値Ｔｎを長くする（例えば、１２０秒など）。照度の統計値が大きい（高い）場合とは、例えば、昼間、夏場などであり、照度の統計値が小さい（低い）場合とは、夕方又は夜間、冬場などである。
【００２２】
すなわち、照度の統計値が大きい（高い）、昼間の時間帯、あるいは夏場では、短い時間であっても点灯時間閾値Ｔｎを設けることにより、光源の点灯と消灯を繰り返す事態を抑制することができ、利用者に不快感又は違和感を与えることを防止することができる。また、点灯時間閾値Ｔｎを短くすることにより、外光が変化した場合でも比較的早く光源を消灯させることができるので、電力消費を低減することができる。また、照度の統計値が小さい（低い）、夕方又は夜間の時間帯、あるいは冬場では、点灯時間閾値Ｔｎを長くすることにより、光源の点灯と消灯を繰り返す事態を抑制することができ、利用者に不快感又は違和感を与えることを防止することができるとともに、光源の再消灯までの時間を長くして光源を点灯させることができるので、照明装置の周囲が暗くなり過ぎて利用者に不快感を与えることを防止することができる。
【００２３】
本発明に係る照明装置は、前記制御部は、前記照度の統計値の大小に応じて、前記消灯照度閾値を小大とすべく調整するようにしてあることを特徴とする。
【００２４】
本発明にあっては、制御部は、検出部で複数回検出した照度に基づいて算出した照度の統計値の大小に応じて、消灯照度閾値を小大とすべく調整する。すなわち、制御部は、照度の統計値が大きい（高い）場合には、消灯照度閾値Ｌｆを小さく（低く）する（例えば、３２００ｌｘなど）。また、制御部は、照度の統計値が小さい（低い）場合には、消灯照度閾値Ｌｆを大きく（高く）する（例えば、３５００ｌｘなど）。照度の統計値が大きい（高い）場合とは、例えば、昼間、夏場などであり、照度の統計値が小さい（低い）場合とは、夕方又は夜間、冬場などである。
【００２５】
すなわち、照度の統計値が大きい（高い）、昼間の時間帯、あるいは夏場では、消灯照度閾値Ｌｆを小さく（低く）することにより、検出部で検出する照度が比較的低い場合でも光源を消灯させることができる。これにより、比較的早く光源を消灯することができ、電力消費を低減することができる。
【００２６】
また、照度の統計値が小さい（低い）、夕方又は夜間の時間帯、あるいは冬場では、消灯照度閾値Ｌｆを大きく（高く）することにより、検出部で検出する照度が比較的高くなったときに光源を消灯させることができる。すなわち、検出部で検出する照度が比較的高くなるまで光源を点灯する。これにより、比較的長く光源を点灯することができ、照明装置の周囲が暗くなり過ぎて利用者に不快感を与えることを防止することができる。
【００２７】
本発明に係る照明装置は、月、日付又は時刻の少なくとも１つを特定する特定部を備え、前記制御部は、前記特定部で特定した月、日付又は時刻に応じて、前記点灯時間閾値を調整するようにしてあることを特徴とする。
【００２８】
本発明にあっては、特定部は、月、日付又は時刻の少なくとも１つを特定する。特定部は、例えば、カレンダー機能又は時計を備え、月、日付、あるいは時刻の少なくとも一つを特定する。制御部は、特定部で特定した月又は時刻に応じて、点灯時間閾値を調整する。例えば、月、日付を特定する場合、制御部は、夏場又は冬場に応じて、点灯時間閾値を調整する。また、時刻を特定する場合、制御部は、昼間又は夜間に応じて、点灯時間閾値を調整する。これにより、外光の明暗に応じて、点灯時間閾値を調整することができる。
【発明の効果】
【００２９】
本発明によれば、外光が変化した場合でも、利用者に不快感又は違和感を与えることを防止することができる。
【図面の簡単な説明】
【００３０】
【図１】本実施の形態の照明装置の構成の一例を示すブロック図である。
【図２】消灯時間閾値を設けない場合の比較例としての光源部の点灯・消灯の例を示す説明図である。
【図３】本実施の形態の照明装置による光源部の点灯・消灯の一例を示す説明図である。
【図４】点灯時間閾値を設けない場合の比較例としての光源部の点灯・消灯の例を示す説明図である。
【図５】本実施の形態の照明装置による光源部の点灯・消灯の一例を示す説明図である。
【図６】本実施の形態の消灯時間閾値の調整方法の一例を示す説明図である。
【図７】本実施の形態の点灯時間閾値の調整方法の一例を示す説明図である。
【図８】本実施の形態の照度閾値の調整方法の一例を示す説明図である。
【発明を実施するための形態】
【００３１】
以下、本発明をその実施の形態を示す図面に基づいて説明する。図１は本実施の形態の照明装置１００の構成の一例を示すブロック図である。照明装置１００には、別体のリモートコントロール２００が付帯する。利用者（ユーザ）がリモートコントロール２００を操作することにより、照明装置１００の動作状態（点灯、消灯、あるいは調光状態など）を遠隔制御することができる。
【００３２】
リモートコントロール２００は、制御部２０１、発光部２０２、操作部２０３などを備える。
【００３３】
制御部２０１は、発光部２０２、操作部２０３の制御を行う。
【００３４】
操作部２０３は、操作スイッチ、液晶ディスプレイなどの表示部（不図示）を備える。操作部２０３で操作を受け付けることにより、照明装置１００の点灯、消灯、点灯開始又は点灯終了などの時刻設定、照明装置１００に調光機能が備えられている場合には調光レベルの設定、照明装置１００に調色機能が備えられている場合には調色レベルの設定などを行うことができる。操作部２０３は、受け付けた操作の内容を制御部２０１へ出力する。
【００３５】
発光部２０２は、赤外線発光部を備え、赤外線を使用して操作情報（例えば、操作部２０３で受け付けた操作の内容）を照明装置１００へ送信する。
【００３６】
照明装置１００は、照明装置全体を制御するマイクロコンピュータ１０、メモリ１１、Ａ／Ｄ変換部１２、検出部としての照度センサ１３、受光部１４、光源インタフェース部１５、光源としての光源部１６などを備える。
【００３７】
受光部１４は、赤外線受光部を備え、リモートコントロール２００の発光部２０２が送信した操作情報を受信し、受信した操作情報をマイクロコンピュータ１０へ出力する。
【００３８】
光源部１６は、例えば、１又は複数のＬＥＤモジュールを備える。なお、ＬＥＤモジュールは、同じ発光色のものでもよく、電球色と昼白色のように発光色の異なるＬＥＤモジュールを備える構成でもよい。また、光源部１６の光源は、ＬＥＤモジュールに限定されるものではなく、他の光源を用いてもよい。
【００３９】
光源インタフェース部１５は、光源部１６に電力を供給するための定電流回路を備える電源機能を有する。光源インタフェース部１５は、マイクロコンピュータ１０の制御の下、光源部１６の点灯、消灯、調光制御を行う。また、照明装置１００に調色機能が備えられている場合には、光源インタフェース部１５は、マイクロコンピュータ１０の制御の下、調色制御を行うこともできる。
【００４０】
照度センサ１３は、光源部１６の近傍に設けてあり、周囲の光、すなわち、光源部１６の光を含む光による照射面の照度を検出する。光源部１６の光以外の光としては、例えば、外光、光源部１６を備えた照明装置以外の照明器具による光などが含まれる。以下では、光源部１６の光以外の光は外光として説明する。すなわち、照度センサ１３は、光源部１６が点灯している場合には、光源部１６からの光及び外光による照度を検出し、光源部１６が消灯している場合には、外光による照度を検出する。
【００４１】
Ａ／Ｄ変換部１２は、照度センサ１３で検出した照度（アナログ値）をデジタル値に変換し、変換したデジタル値を照度センサ１３の出力値としてマイクロコンピュータ１０へ出力する。なお、Ａ／Ｄ変換部１２を照度センサ１３に含めた構成であってもよい。
【００４２】
メモリ１１は、照度センサ１３の出力値（照度）を格納する格納メモリを備える。また、メモリ１１は、消灯時間閾値Ｔｆ、点灯時間閾値Ｔｎ、消灯照度閾値Ｌｆ、点灯照度閾値Ｌｎ、照度センサ１３で検出した照度の統計値（例えば、平均照度）などを記憶している。
【００４３】
マイクロコンピュータ１０は、計時部、制御部、照度閾値調整部、時間閾値調整部、算出部及び特定部としての機能を有する。なお、消灯時間閾値Ｔｆ、点灯時間閾値Ｔｎ、消灯照度閾値Ｌｆ、点灯照度閾値Ｌｎの調整は、マイクロコンピュータ１０ですべて調整することもできるが、それぞれの閾値をそれぞれ別の制御部で調整するようにしてもよい。
【００４４】
以下では、まず、消灯時間閾値Ｔｆ、消灯照度閾値Ｌｆ、点灯照度閾値Ｌｎを用いる場合について説明する。マイクロコンピュータ１０は、光源部１６を消灯した時点からの消灯時間を計時する。そして、マイクロコンピュータ１０は、計時した消灯時間が所定の消灯時間閾値Ｔｆを超えた場合に、照度センサ１３で検出した照度が所定の点灯照度閾値Ｌｎ以下であるとき、光源部１６を点灯する。
【００４５】
消灯時間閾値Ｔｆは、例えば、６０秒〜１２０秒程度とすることができるが、これに限定されるものではない。また、点灯照度閾値Ｌｎは、消灯している光源部１６を点灯するか否かを判定するための照度閾値であり、例えば、２７００ｌｘ〜３０００ｌｘ程度とすることができる。なお、点灯照度閾値Ｌｎは、照明装置の種類、形状、大きさ、照度センサ１３の種類又は取付位置などに応じて、適宜設定することができ、２７００ｌｘ〜３０００ｌｘの範囲内に限定されるものではない。
【００４６】
例えば、消灯時間閾値Ｔｆを６０秒とし、照度センサ１３で照度を検出した結果、光源部１６を消灯した場合に、消灯時点からの経過時間が３０秒のときに、照度センサ１３で検出した照度が点灯照度閾値Ｌｎ以下であっても、消灯時間が消灯時間閾値Ｔｆを超えていないので、マイクロコンピュータ１０は、光源部１６を点灯しない。また、消灯時間が消灯時間閾値Ｔｆを超えた場合に、照度センサ１３で検出した照度が点灯照度閾値Ｌｎ以下のときは、マイクロコンピュータ１０は、光源部１６を点灯する。
【００４７】
図２は消灯時間閾値を設けない場合の比較例としての光源部の点灯・消灯の例を示す説明図であり、図３は本実施の形態の照明装置１００による光源部１６の点灯・消灯の一例を示す説明図である。図２Ａは、照度センサで検出する照度の時間変化を示し、光源からの光及び外光による照度を表す。図２Ｂは光源部の点灯・消灯の切り替わりの様子を示す。
【００４８】
図２に示すように、光源部の点灯状態において、外光による照度が増加して、時刻ｔ１において検出した照度が消灯照度閾値Ｌｆ以上になったとき、光源部は点灯状態から消灯状態に切り替わる。そして、時刻ｔ１で光源部が消灯するので、検出した照度は、光源部からの光に相当する分だけ減少する。
【００４９】
次に、光源部の消灯状態において、外光による照度が減少して、時刻ｔ２において検出した照度が点灯照度閾値Ｌｎ以下になったとき、光源部は消灯状態から点灯状態に切り替わる。そして、時刻ｔ２で光源部が点灯するので、検出した照度は、光源部からの光に相当する分だけ増加する。
【００５０】
次に、光源部の点灯状態において、外光による照度が増加して、時刻ｔ３において検出した照度が消灯照度閾値Ｌｆ以上になったとき、光源部は点灯状態から消灯状態に切り替わる。そして、時刻ｔ３で光源部が消灯するので、検出した照度は、光源部からの光に相当する分だけ減少する。
【００５１】
さらに、光源部の消灯状態において、外光による照度が減少して、時刻ｔ４において検出した照度が点灯照度閾値Ｌｎ以下になったとき、光源部は消灯状態から点灯状態に切り替わる。そして、時刻ｔ４で光源部が点灯するので、検出した照度は、光源部からの光に相当する分だけ増加する。
【００５２】
図２に例示するように、消灯時間閾値Ｔｆを設けない場合には、外光の明暗が変化することにより、光源部の点灯と消灯が繰り返されることになり、利用者に不快感又は違和感を与えることになる。
【００５３】
一方、消灯時間閾値Ｔｆを設ける場合は、図３に示すように、光源部１６の点灯状態において、外光による照度が増加して、時刻ｔ１において検出した照度が消灯照度閾値Ｌｆ以上になったとき、光源部１６は点灯状態から消灯状態に切り替わる。そして、時刻ｔ１で光源部１６が消灯するので、照度センサ１３で検出した照度は、光源部１６からの光に相当する分だけ減少する。
【００５４】
次に、光源部１６の消灯状態において、外光による照度が減少して、時刻ｔ２において検出した照度が点灯照度閾値Ｌｎ以下になったとき、光源部１６の消灯時間（時刻ｔ２から時刻ｔ１を差し引いた時間）は、消灯時間閾値Ｔｆを超えていないので、光源部１６は点灯することなく消灯状態を維持する。
【００５５】
さらに、光源部１６の消灯状態において、外光による照度が変動して、時刻ｔ４において検出した照度が点灯照度閾値Ｌｎ以下になったとき、光源部１６の消灯時間（時刻ｔ４から時刻ｔ１を差し引いた時間）は、消灯時間閾値Ｔｆを超えているので、光源部１６は消灯状態から点灯状態に切り替わる。そして、時刻ｔ４で光源部１６が点灯するので、照度センサ１３で検出した照度は、光源部１６からの光に相当する分だけ増加する。
【００５６】
図２及び図３から解るように、外光が変化して、照度センサ１３で検出した照度が点灯照度閾値Ｌｎ以下になった場合でも、直ちに光源部１６を点灯（再点灯）せず、消灯時間が消灯時間閾値Ｔｆを超えた場合に、照度センサ１３で検出した照度が点灯照度閾値以下であれば光源部１６を点灯するので、外光が変化した場合に、光源部１６の点灯と消灯が短い時間の間に繰り返されることを防止することができ、利用者に不快感又は違和感を与えることを防止することができる。
【００５７】
次に、点灯時間閾値Ｔｎ、消灯照度閾値Ｌｆ、点灯照度閾値Ｌｎを用いる場合について説明する。マイクロコンピュータ１０は、光源部１６を点灯した時点からの点灯時間を計時する。そして、マイクロコンピュータ１０は、計時した点灯時間が所定の点灯時間閾値Ｔｎを超えた場合に、照度センサ１３で検出した照度が所定の消灯照度閾値Ｌｆ以上であるとき、光源部１６を消灯する。
【００５８】
点灯時間閾値Ｔｎは、例えば、６０秒〜１２０秒程度とすることができるが、これに限定されるものではない。また、消灯照度閾値Ｌｆは、点灯している光源部１６を消灯するか否かを判定するための照度閾値であり、例えば、３２００ｌｘ〜３５００ｌｘ程度とすることができる。なお、消灯照度閾値Ｌｆは、照明装置の種類、形状、大きさ、照度センサ１３の種類又は取付位置などに応じて、適宜設定することができ、３２００ｌｘ〜３５００ｌｘの範囲内に限定されるものではない。
【００５９】
例えば、点灯時間閾値Ｔｎを６０秒とし、照度センサ１３で照度を検出した結果、光源部１６を点灯した場合に、点灯時点からの経過時間が３０秒のときに、照度センサ１３で検出した照度が消灯照度閾値Ｌｆ以上であっても、点灯時間が点灯時間閾値Ｔｎを超えていないので、光源部１６を消灯しない。また、点灯時間が点灯時間閾値Ｔｎを超えた場合に、照度センサ１３で検出した照度が消灯照度閾値Ｌｆ以上のときは、光源部１６を消灯する。
【００６０】
図４は点灯時間閾値を設けない場合の比較例としての光源部の点灯・消灯の例を示す説明図であり、図５は本実施の形態の照明装置１００による光源部１６の点灯・消灯の一例を示す説明図である。図４Ａは、照度センサで検出する照度の時間変化を示し、光源からの光及び外光による照度を表す。図４Ｂは光源部の点灯・消灯の切り替わりの様子を示す。
【００６１】
図４に示すように、光源部の消灯状態において、外光による照度が減少して、時刻ｔ１１において検出した照度が点灯照度閾値Ｌｎ以下になったとき、光源部は消灯状態から点灯状態に切り替わる。そして、時刻ｔ１１で光源部が点灯するので、検出した照度は、光源部からの光に相当する分だけ増加する。
【００６２】
次に、光源部の点灯状態において、外光による照度が増加して、時刻ｔ１２において検出した照度が消灯照度閾値Ｌｆ以上になったとき、光源部は点灯状態から消灯状態に切り替わる。そして、時刻ｔ１２で光源部が消灯するので、検出した照度は、光源部からの光に相当する分だけ減少する。
【００６３】
次に、光源部の消灯状態において、外光による照度が減少して、時刻ｔ１３において検出した照度が点灯照度閾値Ｌｎ以下になったとき、光源部は消灯状態から点灯状態に切り替わる。そして、時刻ｔ１３で光源部が点灯するので、検出した照度は、光源部からの光に相当する分だけ増加する。
【００６４】
さらに、光源部の点灯状態において、外光による照度が増加して、時刻ｔ１４において検出した照度が消灯照度閾値Ｌｆ以上になったとき、光源部は点灯状態から消灯状態に切り替わる。そして、時刻ｔ１４で光源部が消灯するので、検出した照度は、光源部からの光に相当する分だけ減少する。
【００６５】
図４に例示するように、点灯時間閾値Ｔｎを設けない場合には、外光の明暗が変化することにより、光源部の点灯と消灯が繰り返されることになり、利用者に不快感又は違和感を与えることになる。
【００６６】
一方、点灯時間閾値Ｔｎを設ける場合は、図５に示すように、光源部１６の消灯状態において、外光による照度が減少して、時刻ｔ１１において検出した照度が点灯照度閾値Ｌｎ以下になったとき、光源部１６は消灯状態から点灯状態に切り替わる。そして、時刻ｔ１１で光源部１６が点灯するので、照度センサ１３で検出した照度は、光源部１６からの光に相当する分だけ増加する。
【００６７】
次に、光源部１６の点灯状態において、外光による照度が増加して、時刻ｔ１２において検出した照度が消灯照度閾値Ｌｆ以上になったとき、光源部１６の点灯時間（時刻ｔ１２から時刻ｔ１１を差し引いた時間）は、点灯時間閾値Ｔｎを超えていないので、光源部１６は消灯することなく点灯状態を維持する。
【００６８】
さらに、光源部１６の点灯状態において、外光による照度が変動して、時刻ｔ１４において検出した照度が消灯照度閾値Ｌｆ以上になったとき、光源部１６の点灯時間（時刻ｔ１４から時刻ｔ１１を差し引いた時間）は、点灯時間閾値Ｔｎを超えているので、光源部１６は点灯状態から消灯状態に切り替わる。そして、時刻ｔ１４で光源部１６が消灯するので、照度センサ１３で検出した照度は、光源部１６からの光に相当する分だけ減少する。
【００６９】
図４及び図５から解るように、外光が変化して、照度センサ１３で検出した照度が消灯照度閾値Ｌｆ以上になった場合でも、直ちに光源部１６を消灯（再消灯）せず、点灯時間が点灯時間閾値Ｔｎを超えた場合に、照度センサ１３で検出した照度が消灯照度閾値Ｌｆ以上であれば光源部１６を消灯するので、外光が変化した場合に、光源部１６の点灯と消灯が短い時間の間に繰り返されることを防止することができ、利用者に不快感又は違和感を与えることを防止することができる。
【００７０】
次に、消灯時間閾値Ｔｆの調整方法について説明する。マイクロコンピュータ１０は、照度センサ１３で複数回検出した照度に基づいて、照度の統計値を算出する。統計値は、例えば、平均値、中央値、最頻値などとすることができる。
【００７１】
照度の統計値の算出は、より具体的には、以下のようにすることができる。例えば、１００ｍｓの都度、照度センサ１３で照度の検出を８回繰り返し、８個の検出値のうち、最大値と最小値を除外した残りの６個の検出値の平均値を算出する。そして、当該平均値の算出を、例えば、１０秒の都度繰り返す。そして、１０秒毎の算出を１時間の間繰り返して、照度の最終的な平均値を１時間毎に算出する。
【００７２】
例えば、照度の平均値は、１５００ｌｘ〜２０００ｌｘ程度とすることができるが、これに限定されるものではなく、照明装置の種類、形状、大きさ、照度センサ１３の種類又は取付位置などに応じて、適宜設定することができる。
【００７３】
１日の時間帯で比較した場合、照度の統計値が大きい（高い）ときとは、例えば、昼間などであり、照度の統計値が小さい（低い）場合とは、夕方又は夜間などである。また、月日で比較した場合、照度の統計値が大きい（高い）ときとは、例えば、夏場などであり、照度の統計値が小さい（低い）場合とは、冬場などである。
【００７４】
マイクロコンピュータ１０は、算出した照度の統計値の大小に応じて、消灯時間閾値Ｔｆを長短とする。すなわち、マイクロコンピュータ１０は、照度の統計値が大きい（高い）場合には、消灯時間閾値Ｔｆを長くし（例えば、１２０秒など）、照度の統計値が小さい（低い）場合には、消灯時間閾値Ｔｆを短くする（例えば、６０秒など）。
【００７５】
図６は本実施の形態の消灯時間閾値Ｔｆの調整方法の一例を示す説明図である。図６において、横軸は平均照度であり、照度の統計値を表す。図６に示すように、平均照度が高いとき（Ｌ２：例えば、２０００ｌｘなど）、消灯時間閾値ＴｆはＴｆ２（例えば、１２０秒など）である。また、平均照度が低いとき（Ｌ１：例えば、１５００ｌｘなど）、消灯時間閾値ＴｆはＴｆ１（例えば、６０秒など）である。平均照度がＬ１とＬ２との間では、消灯時間閾値Ｔｆは、Ｔｆ１とＴｆ２との間で線形近似してある。
【００７６】
上述のように、照度の統計値が大きい（高い）、昼間の時間帯、あるいは夏場では、消灯時間閾値Ｔｆを長くするので、例えば、外光の明暗が頻繁に変化するような場合でも、光源部１６の点灯と消灯を繰り返す事態を抑制することができ、利用者に不快感又は違和感を与えることを防止することができる。
【００７７】
また、照度の統計値が小さい（低い）、夕方又は夜間の時間帯、あるいは冬場では、短い時間であっても消灯時間閾値Ｔｆを設けることにより、光源部１６の点灯と消灯を繰り返す事態を抑制することができ、利用者に不快感又は違和感を与えることを防止することができる。また、消灯時間閾値Ｔｆを比較的短くすることにより、光源部１６の再点灯までの時間を短くして早く光源部１６を点灯させることができるので、照明装置の周囲が暗くなり過ぎて利用者に不快感を与えることを防止することができる。
【００７８】
次に、点灯時間閾値Ｔｎの調整方法について説明する。マイクロコンピュータ１０は、算出した照度の統計値の大小に応じて、点灯時間閾値Ｔｎを短長とする。すなわち、マイクロコンピュータ１０は、照度の統計値が大きい（高い）場合には、点灯時間閾値Ｔｎを短くし（例えば、６０秒など）、照度の統計値が小さい（低い）場合には、点灯時間閾値Ｔｎを長くする（例えば、１２０秒など）。
【００７９】
図７は本実施の形態の点灯時間閾値Ｔｎの調整方法の一例を示す説明図である。図７において、横軸は平均照度であり、照度の統計値を表す。図７に示すように、平均照度が高いとき（Ｌ２：例えば、２０００ｌｘなど）、点灯時間閾値ＴｎはＴｎ２（例えば、６０秒など）である。また、平均照度が低いとき（Ｌ１：例えば、１５００ｌｘなど）、点灯時間閾値ＴｎはＴｎ１（例えば、１２０秒など）である。平均照度がＬ１とＬ２との間では、点灯時間閾値Ｔｎは、Ｔｎ１とＴｎ２との間で線形近似してある。
【００８０】
すなわち、照度の統計値が大きい（高い）、昼間の時間帯、あるいは夏場では、短い時間であっても点灯時間閾値Ｔｎを設けることにより、光源部１６の点灯と消灯を繰り返す事態を抑制することができ、利用者に不快感又は違和感を与えることを防止することができる。また、点灯時間閾値Ｔｎを短くすることにより、外光が変化した場合でも比較的早く光源部１６を消灯させることができるので、電力消費を低減することができる。
【００８１】
また、照度の統計値が小さい（低い）、夕方又は夜間の時間帯、あるいは冬場では、点灯時間閾値Ｔｎを長くすることにより、光源部１６の点灯と消灯を繰り返す事態を抑制することができ、利用者に不快感又は違和感を与えることを防止することができるとともに、光源部１６の再消灯までの時間を長くして光源部１６を点灯させることができるので、照明装置の周囲が暗くなり過ぎて利用者に不快感を与えることを防止することができる。
【００８２】
次に、消灯照度閾値Ｌｆ及び点灯照度閾値Ｌｎの調整方法について説明する。マイクロコンピュータ１０は、外光の明暗に応じて光源部１６を消灯させる消灯照度閾値Ｌｆを調整する。
【００８３】
例えば、周囲の明暗（例えば、外光の明暗）を時間帯で比較した場合には、昼間は外光が明るく、夕方又は夜間は外光が暗いとすることができる。また、外光の明暗を月日で比較した場合には、夏場は外光が明るく、冬場は外光が暗いとすることができる。そして、マイクロコンピュータ１０は、外光が明るい場合（例えば、昼間、夏場など）には、消灯照度閾値Ｌｆを小さくし（例えば、３２００ｌｘなど）、外光が暗い場合（例えば、夕方又は夜間、冬場など）には、消灯照度閾値Ｌｆを大きくする（例えば、３５００ｌｘなど）。
【００８４】
マイクロコンピュータ１０は、照度センサ１３で検出した照度が消灯照度閾値Ｌｆ以上である場合、光源部１６を消灯する。例えば、外光が明るい場合には、消灯照度閾値Ｌｆを小さく（低く）するので、照度センサ１３で検出する照度が比較的低い場合でも光源部１６を消灯させることができる。これにより、消灯照度閾値を調整しない場合に比べて、比較的早く光源部１６を消灯することができ、電力消費を低減することができる。
【００８５】
また、外光が暗い場合には、消灯照度閾値Ｌｆを大きく（高く）するので、照度センサ１３で検出する照度が比較的高くなったときに光源部１６を消灯させることができる。すなわち、照度センサ１３で検出する照度が比較的高くなるまで光源部１６を点灯する。これにより、消灯照度閾値を調整しない場合に比べて、比較的長く光源部１６を点灯することができ、照明装置の周囲が暗くなり過ぎて利用者に不快感を与えることを防止することができる。
【００８６】
また、マイクロコンピュータ１０は、外光の明暗に応じて光源部１６を点灯させる点灯照度閾値Ｌｎを調整する。例えば、マイクロコンピュータ１０は、外光が明るい場合（例えば、昼間、夏場など）には、点灯照度閾値Ｌｎを小さくし（例えば、２７００ｌｘなど）、外光が暗い場合（例えば、夕方又は夜間、冬場など）には、点灯照度閾値Ｌｎを大きくする（例えば、３０００ｌｘなど）。
【００８７】
マイクロコンピュータ１０は、照度センサ１３で検出した照度が点灯照度閾値Ｌｎ以下である場合、光源部１６を点灯する。例えば、外光が明るい場合には、点灯照度閾値Ｌｎを小さく（低く）するので、照度センサ１３で検出する照度が比較的低くなるまで光源部１６を点灯しない。これにより、点灯照度閾値を調整しない場合に比べて、比較的長く光源部１６を消灯させたままにすることができ、電力消費を低減することができる。
【００８８】
また、外光が暗い場合には、点灯照度閾値Ｌｎを大きく（高く）するので、照度センサ１３で検出する照度が比較的高くても光源部１６を点灯させることができる。これにより、点灯照度閾値を調整しない場合に比べて、比較的早く光源部１６を点灯することができ、照明装置の周囲が暗くなり過ぎて利用者に不快感を与えることを防止することができる。
【００８９】
図８は本実施の形態の照度閾値の調整方法の一例を示す説明図である。図８において、横軸は平均照度であり、照度の統計値を表す。図８に示すように、平均照度が高いとき（Ｌ２：例えば、２０００ｌｘなど）、消灯照度閾値Ｌｆは、Ｌｆ２（例えば、３２００ｌｘなど）である。また、平均照度が低いとき（Ｌ１：例えば、１５００ｌｘなど）、消灯照度閾値Ｌｆは、Ｌｆ１（例えば、３５００ｌｘなど）である。また、平均照度が高いとき（Ｌ２：例えば、２０００ｌｘなど）、点灯照度閾値Ｌｎは、Ｌｎ２（例えば、２７００ｌｘなど）である。また、平均照度が低いとき（Ｌ１：例えば、１５００ｌｘなど）、点灯照度閾値Ｌｎは、Ｌｎ１（例えば、３０００ｌｘなど）である。平均照度がＬ１とＬ２との間では、消灯照度閾値Ｌｆ及び点灯照度閾値Ｌｎの値は線形近似してある。
【００９０】
上述の例では、平均照度は、照度センサ１３で照度を複数回検出し、検出した値を統計処理（例えば、平均化）して求めた。しかし、平均照度の求め方は、照度センサ１３で実測する方法に限定されるものではなく、カレンダー又は時計を用いることもできる。
【００９１】
例えば、マイクロコンピュータ１０は、カレンダー機能又は時計を備え、月日、あるいは時刻の少なくとも一つを特定する。マイクロコンピュータ１０は、特定した月又は時刻に応じて、消灯照度閾値、点灯照度閾値、消灯時間閾値又は点灯時間閾値を調整する。例えば、月日を特定する場合、マイクロコンピュータ１０は、特定した月日から夏場であるか、あるいは冬場であるかを判定し、夏場又は冬場に応じて、それぞれの閾値を調整することができる。また、時刻を特定する場合、マイクロコンピュータ１０は、特定した時刻から昼間であるか、あるいは夜間であるかを判定し、昼間又は夜間に応じて、それぞれの閾値を調整することできる。これにより、外光の明暗に応じて、それぞれの閾値を調整することができる。
【００９２】
なお、時刻を特定する場合、１日を昼間及び夜間に分ける方法に代えて、１日を午前、午後、夕方、夜間のように４分割してもよく、あるいは１日を３時間単位、あるいは２時間単位に分けて、それぞれの時間帯に応じて各閾値を調整することもできる。また、月日を特定する場合、１年を夏場と冬場とに分ける方法に代えて、夏場、冬場、春秋に分けてもよく、１年を１月〜１２月の１２に分けてもよい。
【００９３】
上述の実施の形態において、消灯時間閾値だけを設ける構成でもよく、点灯時間閾値だけを設ける構成でもよく、あるいは消灯時間閾値及び点灯時間閾値の両方を設ける構成でもよい。この場合、消灯時間閾値又は点灯時間閾値を平均照度に応じて変更してもよく、平均照度に関わらず所定の時間に設定することもできる。また、消灯照度閾値及び点灯照度閾値は、平均照度に応じて変更してもよく、平均照度に関わらず所定の照度に設定することもできる。つまり、消灯時間閾値、点灯時間閾値、消灯照度閾値及び点灯照度閾値のうち少なくとも１つを、検出した照度の統計値、あるいは月、日付又は時刻に応じて調整するようにしてあればよい。
【００９４】
本実施の形態は、平面視の外形が円形状のシーリングライト、外形が矩形状の照明装置など、種々の形状の照明装置に適用することができる。また、光源はＬＥＤモジュールに限定されるものではなく、ＥＬ（Electro-Luminescence）など他の光源でもよい。
【符号の説明】
【００９５】
１０  マイクロコンピュータ
１１  メモリ
１２  Ａ／Ｄ変換部
１３  照度センサ
１４  受光部
１５  光源インタフェース部
１６  光源部
【図１】
2013247081.tif 000003
【図２】
2013247081.tif 000004
【図３】
2013247081.tif 000005
【図４】
2013247081.tif 000006
【図５】
2013247081.tif 000007
【図６】
2013247081.tif 000008
【図７】
2013247081.tif 000009
【図８】
2013247081.tif 000010